(57)【要約】【課題】小規模製材設備で対応が可能な無垢の木の伸縮、反りもなく且つ横からの荷重にも強い住宅用又は建具用の斜行型単板積層パネル、及び設置スペース形状に応じて簡単に対応できるパネルを提供する。【解決手段】複数の帯状の小幅板材の側面端同士をその接合部が平面視上斜め方向となるようにして接合して方形状の平板状の単板パネルを形成すると共に、互いに各単板パネルの小幅板材同士の接合部が交差するようして上下方向に３枚の単板パネルを順次重ねて接着し斜行型単板積層パネルを構成する。また、下地材上に小斜行型単板積層パネルを複数枚貼り合わせてブロックパネルとする。【選択図】  図３
0003165701.tif 000002
【実用新案登録請求の範囲】
【請求項１】
複数の帯状の小幅板材の側面端同士をその接合部が平面視上斜め方向となるようにして接合して方形状の平板状の単板パネルを形成すると共に、互いに各単板パネルの小幅板材同士の接合部が交差するようして上下方向に３枚の単板パネル順次重ねて接着し構成したことを特徴とする斜行型単板積層パネル。
【請求項２】
上記斜行型単板積層パネルにおいて、同斜行型単板積層パネルの単板パネルの中央に位置する小幅板材同士の接合部を、該斜行型単板積層パネルの対角線上に位置するように配置して上下に振り分け接続するように構成したことを特徴とする請求項１に記載の斜行型単板積層パネル。
【請求項３】
上記斜行型単板積層パネルにおいて、同斜行型単板積層パネルの裏面に、上下若しくは左右方向に凹溝を形成し、この凹溝に補強材を埋設したことを特徴とする請求項１又は請求項２に記載の斜行型単板積層パネル。
【請求項４】
上記斜行型単板積層パネルにおいて、同斜行型単板積層パネル４辺に本実加工用の雌実加工を施したことを特徴とする請求項１乃至請求項３のいずれかに記載の斜行型単板積層パネル。
【請求項５】
上記方形状の斜行型単板積層パネルをゴム材又はスポンジゴム材などの下地材上に複数個貼り合わせて、1枚の方形状のブロック状のパネルを構成したことを特徴とするブロックパネル。
【考案の詳細な説明】
【技術分野】
【０００１】
本考案は、住宅用の床材や壁材、更には建具材などにも使用できる斜行型単板積層パネル及びこの斜行型単板積層パネルを下地材に貼り合わせて１枚のパネルに構成したブロックパネルに関するものである。
【背景技術】
【０００２】
従来、斜行型単板積層パネルとして例えば特許文献１（特許第３７２９４１０号公報）に示されるものがある。
上記特許文献１は、シート状に切削形成された複数枚の単板を重ね合わせて積層接着し、帯状又は短冊状に長尺化した積層材において、上記単板を複数に切断分割された単板小片を長手方向に連接させて配置構成し、単板層の長手方向の側端に対してその繊維方向を斜め方向に交差させるとともに、積層断面内で上下に隣接する単板層の繊維方向を互いに逆向きに傾斜させ且つ交差させるように配置して積層形成したものである。
【先行技術文献】
【特許文献】
【０００３】
【特許文献１】特許第３７２９４１０号公報
【考案の概要】
【考案が解決しようとする課題】
【０００４】
上記特許文献１に示される斜行型単板積層材の製造方法は、構造がしっかりしたものが製造されるが、木材をシート状にスライスして張り合わせていく形態のもので大量生産設備を要しないと生産効率が上がらないことや、製造コストが高くなる恐れがあるものであり小規模製材設備では採用しにくい問題を有していた。
【０００５】
また、住宅建築の壁材や床材の仕上げ材として無垢材を使用されることが多い。この無垢材の板材としては、一般に長さ４ｍ、３ｍ、２ｍ等の長さの小幅板材を用いて張り作業にて行われるが、建築現場において職人が小幅板材を一枚一枚手張りしているので多くの手間を要するものであった。更に、この小幅板材は所要の幅と長さを要求されるため、間伐材の木の丸太から仕上げ材として有効な小幅板材を生産することは、歩留まりが悪く、更に反りも発生し易いため間伐材から生産することは殆どなかった。
【０００６】
本考案が前述の状況に鑑み、解決しようとするところは、既存の小規模製材設備で対応が可能な無垢木の伸縮、反りもなく且つ間伐材等の丸太やその端材を用いて生産でき、横からの荷重にも強い住宅用又は建具用の斜行型単板積層パネルを提供する。また、この斜行型単板積層パネルを用い、設置する壁又は床のレイアウトに応じて自由に設置できるブロックパネルを提供することを目的とするものである。
【課題を解決するための手段】
【０００７】
本考案は、前述の課題解決のために、第１に、複数の帯状の小幅板材の側面端同士をその接合部が平面視上斜め方向となるようにして接合して方形状の平板状の単板パネルを形成すると共に、互いに各単板パネルの小幅板材同士の接合部が交差するようして上下方向に３枚の単板パネルを順次重ねて接着し斜行型単板積層パネルを構成したことを主要な特徴とする。
【０００８】
第２に、上記斜行型単板積層パネルの単板パネルの中央に位置する小幅板材同士の接合部を、該斜行型単板積層パネルの対角線上に位置するように配置して上下に振り分け接続するように構成したことを特徴とする。
【０００９】
第３に、上記方形状の斜行型単板積層パネルの裏面に、上下若しくは左右方向に凹溝を形成し、この凹溝に補強材を埋設したことを特徴とする。
【００１０】
第４に、上記方形状の斜行型単板積層パネル４辺に本実加工用の雌実加工を施したことを特徴とする。
【００１１】
第５に、上記方形状の斜行型単板積層パネルをゴム材又はスポンジゴム材などの下地材上に複数個貼り合わせて、1枚の方形状のブロック状のパネルを構成したことを特徴とする。
【考案の効果】
【００１２】
本考案によれば、小幅板材を斜めに張り合わせ一枚の方形状の単板パネルにして、互いに各単板パネルの小幅板材同士の接合部が交差するようして上下方向に３枚の単板パネルを順次重ねて接着し斜行型単板積層パネルを構成したものであるから、無垢の木の伸縮、反りを抑えることができると共に、横からの荷重に対して常に斜行型単板積層パネル全体で受け止めることができ、より強度の強い積層パネルを提供することができる。
また、斜行型単板積層パネルの単板パネルを構成する個々の小幅板材は、短い小幅板材で良いため間伐材及びその端材等を用いることも可能であり、低コストに提供することができる。
【００１３】
また、斜行型単板積層パネルの単板パネルの中央に位置する小幅板材同士の接合部を、該斜行型単板積層パネルの対角線上に位置するように配置して上下に振り分け接続するように構成したものにおいては、複数の斜行型単板積層パネルを組み合わせて床材や壁材、又は建具を構成すると、隣り合う斜行型単板積層パネルの小幅板材の接合部が揃い連続性を持たせることができるので意匠性も良いものである。更に、建築現場において職人が一枚一枚小幅板材を手張り作業し形成していたのに対し斜行型単板積層パネルを繋ぎ合わせるだけで小幅板材の張り構成を形成することが可能であり作業性もよく大幅に手間を軽減することもできる。
【００１４】
また、上記方形状の斜行型単板積層パネルの裏面に、上下若しくは左右方向に凹溝を形成し、この凹溝に補強材を埋設したものにおいては、面全体の強度が増して横からの荷重に対してもより強い斜行型単板積層パネルを提供することができる。
【００１５】
また、上記斜行型単板積層パネル４辺に本実加工用の雌実加工を施したものにおいては、この雌実加工を用いて隣り合う斜行型単板積層パネル同士を接合することができ建築材料として有効である。
【００１６】
また、上記斜行型単板積層パネルは、各斜行型単板積層パネルの組合せにより、任意の模様形態にすることができるので、天井材、壁材、床材などの他、木製ドア、引き戸、建具材、テーブルの天板、家具材の横板、犬猫等のペットの下の敷物等としても使用できるものである。
【００１７】
また、ゴム材又はスポンジゴム材などの下地材上に複数個の小斜行型単板積層パネルを貼り合わせて、1枚の方形状のブロックパネルを構成したものにおいては、柱や出っ張りなどの部屋や壁の設置スペース状況に合わせて適宜の小斜行型単板積層パネルをカッターや鋏で切断して取り除けば、その設置スペースに対応した形にすることが自由にできるものである。
【図面の簡単な説明】
【００１８】
【図１】本考案の一実施例の斜行型単板積層パネルを示し、（ａ）は斜行型単板積層パネルの斜視図、（ｂ）は斜行型単板積層パネルの上面図、（ｃ）は斜行型単板積層パネルの底面図、（ｄ）は斜行型単板積層パネルの側面図である。
【図２】本考案の一実施例の斜行型単板積層パネルの単板パネルの組みたて状態を示す説明図である。
【図３】図２の単板パネルを積層して斜行型単板積層パネルを製造する状態を示す説明図である。
【図４】本考案の一実施例の斜行型単板積層パネルの四方の辺の加工状態を示す説明図である。
【図５】本考案の一実施例の斜行型単板積層パネル同士の接続状態を示す説明図である。
【図６】本考案の一実施例の斜行型単板積層パネルを用いて建築工事にて壁又は床材として下地材に装着する状態を示し、（ａ）は捨張の接合した場合の説明図、（ｂ）は根太に接合した場合の説明図である。
【図７】本考案の一実施例の斜行型単板積層パネルを用いて各組み合わせ状態を示すパターン説明図である。
【図８】本考案のブロックパネルを示し、（ａ）はブロックパネルの斜視図、（ｂ）はブロックパネルの正面図である。
【図９】図８に示すブロックパネルの小斜行型単板積層パネルを製造する状態を示す説明図である。
【図１０】本考案のブロックパネルのパターン説明図である。
【図１１】本考案のブロックパネルを使用した状態を示す説明図である。
【考案を実施するための形態】
【００１９】
既存の小規模製材設備で対応が可能な無垢木の伸縮、反りもなく且つ間伐材等の丸太やその端材を用いて生産でき、横からの荷重にも強い住宅用又は建具用の斜行型単板積層パネルを提供すると共に、この斜行型単板積層パネルを用いて、設置スペースに適宜調整可能なブロックパネルを提供する。
【実施例１】
【００２０】
以下、本考案の一実施例の斜行型単板積層パネルについて図１乃至図７を用いて詳細に説明する。
図１に示す方形状の斜行型単板積層パネル本体１は、同図１に示すように複数の帯状の小幅板材３の側面端同士をその接合部が平面視上斜め方向となるようにして接合して形成した方形状の単板パネル２を上下方向に３枚積層して構成している。また、上記斜行型単板積層パネル本体１の４方辺の端面には本実加工の雌加工４を形成する一方、その裏面には複数本のスリット溝５を形成し、そのスリット溝４内に裏面と同じ面になるようにして補強材６を入れて斜行型単板積層パネル本体１を補強し、横からの荷重がかかった場合にも荷重を斜行型単板積層パネル本体１の面全体で受け止め強度的にも強くしている。
【００２１】
上記単板パネル２は、図１に示すように例えば８枚程度の帯状の小幅板材３の各側面端同士をその接合部が平面視上斜め方向となるようにして接合し例えば一辺が約３００ミリ又は４５０ミリの方形状且つ平板状に構成している。具体的には、図２に示すように厚さ５ミリ〜１５ミリ位、巾６０ミリ〜１２０ミリ位に構成した帯状の杉、桧、松等からなる小幅板材３を、予め小幅板材３の幅に合わせた多数本の斜め線を線引きしたゲージ板部材を水平に置き、その上に８枚の小幅板材３を度斜め線に合わせながら並べて側面端同士を張り合わせ接着剤等にて接合していくと斜め方向が揃った正方形の大きさが３００ミリ又は４５０ミリ程度の平板状の単板パネル２を構成する。
【００２２】
そして、図３に示すように出来上がった３枚の単板パネル２を上下方向に順次重ねて接着するに当たり、各単板パネル２の小幅板材３同士の接合方向が順次逆になるように、すなわち互い違いに交差するようして重ねて接着剤などにて接合し斜行型単板積層パネル本体１を構成する。
【００２３】
しかる後、図４に示すように斜行型単板積層パネル本体１の４辺に、上記本実加工用の雌実加工４を形成すると共に、裏面に例えば図１（ｄ）に示すように２本から４本の５ミリ×１０ミリのスリット溝５を形成し、同スリット溝５に補強材６を埋設し、図１に示す斜行型単板積層パネル本体１とする。
【００２４】
そして、斜行型単板積層パネル本体１同士を接続する場合には、図５に示すように隣り合う斜行型単板積層パネル本体１の４辺の本実加工の雌加工４に、細い板状の雇い実Ｓを雌加工４の中に接着剤を充填して取り付け接合すれば、簡単に斜行型単板積層パネル本体１同士を接続することができる。
【００２５】
また、建築工事などにおいて捨張コンパネ又は根太などの下地部材に取り付ける場合には、図６（ａ）に示すように斜行型単板積層パネル本体１の本実加工の雌加工４に細い板状の雇い実Ｓを装着した状態で、目隠し釘Ｋで止め固定して隣接する斜行型単板積層パネル本体１と接合出来るようにした。このとき、雌実４同士に嵌合する細幅板状の雇い実Ｓを用いて接合するのに、該雇い実Ｓを雌実４に目隠し釘Ｋを雇い実Ｓと斜行型単板積層パネル本体１を貫通させた状態に打って斜行型単板積層パネル本体１を捨張コンパネ又は根太などの下地部材に接合した後該雇い実Ｓに隣接する斜行型単板積層パネル本体１と接合できるようにしてあり、下地材を利用して接合された斜行型単板積層パネル本体１の接続が強度的に補強されて、床材として壁材として耐久性良く長年月に亘って確実に止めことができる。
【００２６】
この場合、単板パネル２の中央に位置する小幅板材３同士の接合部Ｘを、該、単板パネル２の対角線上、即ち斜行型単板積層パネル本体１の対角線上に位置するように配置して位置決め接続し、各小幅板材３を上下に振り分け接続するように構成すると意匠バランスが良い感じとなり美観に優れた感覚を得ることができる。
【００２７】
また、斜行型単板積層パネル本体１の向きを自由に変えて隣り合う斜行型単板積層パネル本体１同士を接続するようにすれば、例えば図７に示すように、単板パネル２の小幅板材３の接合部の方向が一方向に揃ったパターンＡ、く形状となるパターンＢ、四角を構成するパターンＣ、外側に広がるパターンＤのようにいろいろなパターンを構成でききる。
【００２８】
上記パターンＡにおいては、図７のように斜め方向に揃った形態若しくは必要に応じて角度を変えることにより縦方向や横方向に揃った形態にすることも可能であり、従来住宅建築で行われている小幅板材の竪張り又は横張り作業と同等とすることができる。よって、従来職人が一枚一枚小幅板材を手張り作業して行っていたのに対し、方形状の斜行型単板積層パネル本体１を接続すればよく、住宅建築における小幅板材の張り作業を大幅に軽減することができる。
【００２９】
なお、上記実施例においては、斜行型単板積層パネル本体１の４辺に本実加工用の雌実加工４を形成、斜行型単板積層パネル本体１同士の接続が行われるようにしているが、必要に応じて本実加工用の雌実加工４をなくしてもよい。また、斜行型単板積層パネル本体１の裏面に補強材６を埋設し強度を向上するようにしているが、所要の強度が得られる場合には必要に応じてスリット溝及び補強材６をなくしてもよい。
【００３０】
なお、上記実施例においては斜行型単板積層パネル本体１のサイズを一辺３００ミリ又は４５０ミリの方形状に構成したもので説明したが、例えば３００〜９００ミリの範囲サイズとしてもよく、更には巾９００ミリ長さ１８００ミリに成形すると、既存の合板、コンパネの替わりに使用できる。
【実施例２】
【００３１】
次ぎに、本考案の他の一実施例のブロックパネルについて図８乃至図１０を用いて詳細に説明する。なお、上記実施例１と同一部品については同一番号を付し説明を省略する。
【００３２】
図８に示す方形状のブロックパネル本体１０は、ゴム材又はスポンジゴム材などの下地材１３上に複数個例えば左右上下各３枚ずつ計９枚の小斜行型単板積層パネル１１を貼り付けて方形状に構成し、例えば一辺が３００ミリ角としている。
【００３３】
上記小斜行型単板積層パネル１１は、図９に示すように２枚の帯状の小幅板材３の側面端同士をその接合部が平面視上斜め方向となるようにして、且つその中央となる対角線上で接合して例えば一辺が１００ミリ角の方形状の小単板パネル１２を形成すると共に、この小単板パネル１２を上下方向に３枚、各小単板パネル１２の接合部が互いに交差するようにして積層して構成している。
【００３４】
また、下地材１３上に貼り付ける９枚の小斜行型単板積層パネル１１の向きを自由に変え構成することにより、例えば図１０に示すように、小単板パネル１２の小幅板材３の接合部の方向が、一様に斜め方向に揃ったパターンＥ、ジクザク形状となるパターンＦ、交差して×形状となるパターンＧのようにいろいろなパターンを構成することができる。
【００３５】
次ぎに、その使用時について説明する。
例えば、玄関マットや、台所のフロアマットの敷物として使用する場合には、２〜３枚のブロックパネル本体１０を横並びにして使用する。この場合、裏面にゴム材又はスポンジゴム材などの下地材１３が設けられているので、ズレを防止することができると共に、防音効果もある。
【００３６】
また、一角に柱や出っ張りなどの障害物があるスペースに設置する場合には、図１１に示すように当該出っ張り部分に対応する上記ブロックパネル本体１０の小斜行型単板積層パネル１１をカッターや鋏などで切断して取り除けば、その設置スペースに対応した形状にすることが簡単にできる。よって、大工仕事を要せず誰でも設置スペースの状況に応じた形状のマットを簡単に製作することができるものである。
【００３７】
なお、例えば図１０に示す上記各パターンＥ〜Ｇ等のブロックパネル本体１０を選択的に選ぶことにより、例えば床材や壁材として使用する場合、好みに応じた模様の床材や壁材とすることができると共に、下地材１３により断熱効果も得ることができるものである。
【産業上の利用可能性】
【００３８】
本考案の斜行型単板積層パネルは、天井材、壁材、床材、ペットの敷物等などのほか、木製ドア、引き戸、建具材テーブルの天板、家具材の横板、等としても使用できる。
【符号の説明】
【００３９】
１  斜行型単板積層パネル本体
２  単板パネル
３  小幅板材
４  本実加工の雌加工
５  スリット溝
６  補強材
Ｓ    雇い実
Ｋ  目隠し釘
１０  ブロックパネル本体
１１  小斜行型単板積層パネル
１２  小単板パネル
１３  下地材
【図１１】
0003165701.tif 000003
【図１】
0003165701.tif 000004
【図２】
0003165701.tif 000005
【図３】
0003165701.tif 000006
【図４】
0003165701.tif 000007
【図５】
0003165701.tif 000008
【図６】
0003165701.tif 000009
【図７】
0003165701.tif 000010
【図８】
0003165701.tif 000011
【図９】
0003165701.tif 000012
【図１０】
0003165701.tif 000013
【手続補正書】
【提出日】平成22年11月19日(2010.11.19)
【手続補正１】
【補正対象書類名】明細書
【補正対象項目名】全文
【補正方法】変更
【補正の内容】
【考案の詳細な説明】
【技術分野】
【０００１】
本考案は、住宅用の床材や壁材、更には建具材などにも使用できる斜行型単板積層パネル及びこの斜行型単板積層パネルを下地材に貼り合わせて１枚のパネルに構成したブロックパネルに関するものである。
【背景技術】
【０００２】
従来、斜行型単板積層パネルとして例えば特許文献１（特許第３７２９４１０号公報）に示されるものがある。
上記特許文献１は、シート状に切削形成された複数枚の単板を重ね合わせて積層接着し、帯状又は短冊状に長尺化した積層材において、上記単板を複数に切断分割された単板小片を長手方向に連接させて配置構成し、単板層の長手方向の側端に対してその繊維方向を斜め方向に交差させるとともに、積層断面内で上下に隣接する単板層の繊維方向を互いに逆向きに傾斜させ且つ交差させるように配置して積層形成したものである。
【先行技術文献】
【特許文献】
【０００３】
【特許文献１】特許第３７２９４１０号公報
【考案の概要】
【考案が解決しようとする課題】
【０００４】
上記特許文献１に示される斜行型単板積層材の製造方法は、構造がしっかりしたものが製造されるが、木材をシート状にスライスして張り合わせていく形態のもので大量生産設備を要しないと生産効率が上がらないことや、製造コストが高くなる恐れがあるものであり小規模製材設備では採用しにくい問題を有していた。
【０００５】
また、住宅建築の壁材や床材の仕上げ材として無垢材を使用されることが多い。この無垢材の板材としては、一般に長さ４ｍ、３ｍ、２ｍ等の長さの小幅板材を用いて張り作業にて行われるが、建築現場において職人が小幅板材を一枚一枚手張りしているので多くの手間を要するものであった。更に、この小幅板材は所要の幅と長さを要求されるため、間伐材の木の丸太から仕上げ材として有効な小幅板材を生産することは、歩留まりが悪く、更に反りも発生し易いため間伐材から生産することは殆どなかった。
【０００６】
本考案が前述の状況に鑑み、解決しようとするところは、既存の小規模製材設備で対応が可能な無垢木の伸縮、反りもなく且つ間伐材等の丸太やその端材を用いて生産でき、横からの荷重にも強い住宅用又は建具用の斜行型単板積層パネルを提供する。また、この斜行型単板積層パネルを用い、設置する壁又は床のレイアウトに応じて自由に設置できるブロックパネルを提供することを目的とするものである。
【課題を解決するための手段】
【０００７】
本考案は、前述の課題解決のために、第１に、複数の帯状の小幅板材の側面端同士をその接合部が平面視上斜め方向となるようにして接合して方形状の平板状の単板パネルを形成すると共に、互いに各単板パネルの小幅板材同士の接合部が交差するようして上下方向に３枚の単板パネルを順次重ねて接着して四角形状の斜行型単板積層パネルを構成したことを主要な特徴とする。
【０００８】
第２に、上記斜行型単板積層パネルの単板パネルの中央に位置する小幅板材同士の接合部を、該斜行型単板積層パネルの対角線上に位置するように配置して上下に振り分け接続するように構成したことを特徴とする。
【０００９】
第３に、上記方形状の斜行型単板積層パネルの裏面に、上下若しくは左右方向に凹溝を形成し、この凹溝に補強材を埋設したことを特徴とする。
【００１０】
第４に、上記方形状の斜行型単板積層パネル４辺に本実加工用の雌実加工を施したことを特徴とする。
【００１１】
第５に、上記第１乃至第３のいずれかに記載の斜行型単板積層パネルをゴム材又はスポンジゴム材などの下地材上に複数個貼り合わせて、1枚の四角形状のブロック状のパネルを構成したことを特徴とする。
【考案の効果】
【００１２】
本考案によれば、小幅板材を斜めに張り合わせ一枚の方形状の単板パネルにして、互いに各単板パネルの小幅板材同士の接合部が交差するようして上下方向に３枚の単板パネルを順次重ねて接着し四角形状の斜行型単板積層パネルを構成したものであるから、無垢の木の伸縮、反りを抑えることができると共に、横からの荷重に対して常に斜行型単板積層パネル全体で受け止めることができ、より強度の強い積層パネルを提供することができる。
また、斜行型単板積層パネルの単板パネルを構成する個々の小幅板材は、短い小幅板材で良いため間伐材及びその端材等を用いることも可能であり、低コストに提供することができる。
【００１３】
また、斜行型単板積層パネルの単板パネルの中央に位置する小幅板材同士の接合部を、該斜行型単板積層パネルの対角線上に位置するように配置して上下に振り分け接続するように構成したものにおいては、複数の斜行型単板積層パネルを組み合わせて床材や壁材、又は建具を構成すると、隣り合う斜行型単板積層パネルの小幅板材の接合部が揃い連続性を持たせることができるので意匠性も良いものである。更に、建築現場において職人が一枚一枚小幅板材を手張り作業し形成していたのに対し斜行型単板積層パネルを繋ぎ合わせるだけで小幅板材の張り構成を形成することが可能であり作業性もよく大幅に手間を軽減することもできる。
【００１４】
また、上記方形状の斜行型単板積層パネルの裏面に、上下若しくは左右方向に凹溝を形成し、この凹溝に補強材を埋設したものにおいては、面全体の強度が増して横からの荷重に対してもより強い斜行型単板積層パネルを提供することができる。
【００１５】
また、上記斜行型単板積層パネル４辺に本実加工用の雌実加工を施したものにおいては、この雌実加工を用いて隣り合う斜行型単板積層パネル同士を接合することができ建築材料として有効である。
【００１６】
また、上記斜行型単板積層パネルは、各斜行型単板積層パネルの組合せにより、任意の模様形態にすることができるので、天井材、壁材、床材などの他、木製ドア、引き戸、建具材、テーブルの天板、家具材の横板、犬猫等のペットの下の敷物等としても使用できるものである。
【００１７】
また、上記斜行型単板積層パネルをゴム材又はスポンジゴム材などの下地材上に複数個貼り合わせて、1枚の四角形状のブロックパネルを構成したものにおいては、柱や出っ張りなどの部屋や壁の設置スペース状況に合わせて適宜の小斜行型単板積層パネルをカッターや鋏で切断して取り除けば、その設置スペースに対応した形にすることが自由にできるものである。
【図面の簡単な説明】
【００１８】
【図１】本考案の一実施例の斜行型単板積層パネルを示し、（ａ）は斜行型単板積層パネルの斜視図、（ｂ）は斜行型単板積層パネルの上面図、（ｃ）は斜行型単板積層パネルの底面図、（ｄ）は斜行型単板積層パネルの側面図である。
【図２】本考案の一実施例の斜行型単板積層パネルの単板パネルの組みたて状態を示す説明図である。
【図３】図２の単板パネルを積層して斜行型単板積層パネルを製造する状態を示す説明図である。
【図４】本考案の一実施例の斜行型単板積層パネルの四方の辺の加工状態を示す説明図である。
【図５】本考案の一実施例の斜行型単板積層パネル同士の接続状態を示す説明図である。
【図６】本考案の一実施例の斜行型単板積層パネルを用いて建築工事にて壁又は床材として下地材に装着する状態を示し、（ａ）は捨張の接合した場合の説明図、（ｂ）は根太に接合した場合の説明図である。
【図７】本考案の一実施例の斜行型単板積層パネルを用いて各組み合わせ状態を示すパターン説明図である。
【図８】本考案のブロックパネルを示し、（ａ）はブロックパネルの斜視図、（ｂ）はブロックパネルの正面図である。
【図９】図８に示すブロックパネルの小斜行型単板積層パネルを製造する状態を示す説明図である。
【図１０】本考案のブロックパネルのパターン説明図である。
【図１１】本考案のブロックパネルを使用した状態を示す説明図である。
【考案を実施するための形態】
【００１９】
既存の小規模製材設備で対応が可能な無垢木の伸縮、反りもなく且つ間伐材等の丸太やその端材を用いて生産でき、横からの荷重にも強い住宅用又は建具用の斜行型単板積層パネルを提供すると共に、この斜行型単板積層パネルを用いて、設置スペースに適宜調整可能なブロックパネルを提供する。
【実施例１】
【００２０】
以下、本考案の一実施例の斜行型単板積層パネルについて図１乃至図７を用いて詳細に説明する。
図１に示す四角形状の斜行型単板積層パネル本体１は、同図１に示すように複数の帯状の小幅板材３の側面端同士をその接合部が平面視上斜め方向となるようにして接合して形成した方形状の単板パネル２を上下方向に３枚積層して構成している。また、上記斜行型単板積層パネル本体１の４方辺の端面には本実加工の雌加工４を形成する一方、その裏面には複数本のスリット溝５を形成し、そのスリット溝４内に裏面と同じ面になるようにして補強材６を入れて斜行型単板積層パネル本体１を補強し、横からの荷重がかかった場合にも荷重を斜行型単板積層パネル本体１の面全体で受け止め強度的にも強くしている。
【００２１】
上記単板パネル２は、図１に示すように例えば８枚程度の帯状の小幅板材３の各側面端同士をその接合部が平面視上斜め方向となるようにして接合し例えば一辺が約３００ミリ又は４５０ミリの方形状且つ平板状に構成している。具体的には、図２に示すように厚さ５ミリ〜１５ミリ位、巾６０ミリ〜１２０ミリ位に構成した帯状の杉、桧、松等からなる小幅板材３を、予め小幅板材３の幅に合わせた多数本の斜め線を線引きしたゲージ板部材を水平に置き、その上に８枚の小幅板材３を度斜め線に合わせながら並べて側面端同士を張り合わせ接着剤等にて接合していくと斜め方向が揃った正方形の大きさが３００ミリ又は４５０ミリ程度の平板状の単板パネル２を構成する。
【００２２】
そして、図３に示すように出来上がった３枚の単板パネル２を上下方向に順次重ねて接着するに当たり、各単板パネル２の小幅板材３同士の接合方向が順次逆になるように、すなわち互い違いに交差するようして重ねて接着剤などにて接合し四角形状の斜行型単板積層パネル本体１を構成する。
【００２３】
しかる後、図４に示すように斜行型単板積層パネル本体１の４辺に、上記本実加工用の雌実加工４を形成すると共に、裏面に例えば図１（ｄ）に示すように２本から４本の５ミリ×１０ミリのスリット溝５を形成し、同スリット溝５に補強材６を埋設し、図１に示す斜行型単板積層パネル本体１とする。
【００２４】
そして、斜行型単板積層パネル本体１同士を接続する場合には、図５に示すように隣り合う斜行型単板積層パネル本体１の４辺の本実加工の雌加工４に、細い板状の雇い実Ｓを雌加工４の中に接着剤を充填して取り付け接合すれば、簡単に斜行型単板積層パネル本体１同士を接続することができる。
【００２５】
また、建築工事などにおいて捨張コンパネ又は根太などの下地部材に取り付ける場合には、図６（ａ）に示すように斜行型単板積層パネル本体１の本実加工の雌加工４に細い板状の雇い実Ｓを装着した状態で、目隠し釘Ｋで止め固定して隣接する斜行型単板積層パネル本体１と接合出来るようにした。このとき、雌実４同士に嵌合する細幅板状の雇い実Ｓを用いて接合するのに、該雇い実Ｓを雌実４に目隠し釘Ｋを雇い実Ｓと斜行型単板積層パネル本体１を貫通させた状態に打って斜行型単板積層パネル本体１を捨張コンパネ又は根太などの下地部材に接合した後該雇い実Ｓに隣接する斜行型単板積層パネル本体１と接合できるようにしてあり、下地材を利用して接合された斜行型単板積層パネル本体１の接続が強度的に補強されて、床材として壁材として耐久性良く長年月に亘って確実に止めことができる。
【００２６】
この場合、単板パネル２の中央に位置する小幅板材３同士の接合部Ｘを、該単板パネル２の対角線上、即ち四角形状の斜行型単板積層パネル本体１の対角線上に位置するように配置して位置決め接続し、各小幅板材３を上下に振り分け接続するように構成すると意匠バランスが良い感じとなり美観に優れた感覚を得ることができる。
【００２７】
また、斜行型単板積層パネル本体１の向きを自由に変えて隣り合う斜行型単板積層パネル本体１同士を接続するようにすれば、例えば図７に示すように、単板パネル２の小幅板材３の接合部の方向が一方向に揃ったパターンＡ、く形状となるパターンＢ、四角を構成するパターンＣ、外側に広がるパターンＤのようにいろいろなパターンを構成でききる。
【００２８】
上記パターンＡにおいては、図７のように斜め方向に揃った形態若しくは必要に応じて角度を変えることにより縦方向や横方向に揃った形態にすることも可能であり、従来住宅建築で行われている小幅板材の竪張り又は横張り作業と同等とすることができる。よって、従来職人が一枚一枚小幅板材を手張り作業して行っていたのに対し、方形状の斜行型単板積層パネル本体１を接続すればよく、住宅建築における小幅板材の張り作業を大幅に軽減することができる。
【００２９】
なお、上記実施例においては、斜行型単板積層パネル本体１の４辺に本実加工用の雌実加工４を形成、斜行型単板積層パネル本体１同士の接続が行われるようにしているが、必要に応じて本実加工用の雌実加工４をなくしてもよい。また、斜行型単板積層パネル本体１の裏面に補強材６を埋設し強度を向上するようにしているが、所要の強度が得られる場合には必要に応じてスリット溝及び補強材６をなくしてもよい。
【００３０】
なお、上記実施例においては斜行型単板積層パネル本体１のサイズを一辺３００ミリ又は４５０ミリの方形状に構成したもので説明したが、例えば３００〜９００ミリの範囲サイズとしてもよく、更には巾９００ミリ長さ１８００ミリに成形すると、既存の合板、コンパネの替わりに使用できる。
【実施例２】
【００３１】
次ぎに、本考案の他の一実施例のブロックパネルについて図８乃至図１０を用いて詳細に説明する。なお、上記実施例１と同一部品については同一番号を付し説明を省略する。
【００３２】
図８に示す四角形状のブロックパネル本体１０は、ゴム材又はスポンジゴム材などの下地材１３上に複数個例えば左右上下各３枚ずつ計９枚の四角形状の斜行型単板積層パネル１１を貼り付けて一枚の四角形状に構成し、例えば一辺が３００ミリ角としている。
【００３３】
上記四角形状の斜行型単板積層パネル１１は、図９に示すように２枚の帯状の小幅板材３の側面端同士をその接合部が平面視上斜め方向となるようにして、且つその中央となる対角線上で接合して例えば一辺が１００ミリ角の方形状の小単板パネル１２を形成すると共に、この小単板パネル１２を上下方向に３枚、各小単板パネル１２の接合部が互いに交差するようにして積層して構成している。
【００３４】
また、下地材１３上に貼り付ける９枚の四角形状の斜行型単板積層パネル１１の向きを自由に変え構成することにより、例えば図１０に示すように、小単板パネル１２の小幅板材３の接合部の方向が、一様に斜め方向に揃ったパターンＥ、ジクザク形状となるパターンＦ、交差して×形状となるパターンＧのようにいろいろなパターンを構成することができる。
【００３５】
次ぎに、その使用時について説明する。
例えば、玄関マットや、台所のフロアマットの敷物として使用する場合には、２〜３枚のブロックパネル本体１０を横並びにして使用する。この場合、裏面にゴム材又はスポンジゴム材などの下地材１３が設けられているので、ズレを防止することができると共に、防音効果もある。
【００３６】
また、一角に柱や出っ張りなどの障害物があるスペースに設置する場合には、図１１に示すように当該出っ張り部分に対応する上記ブロックパネル本体１０の小斜行型単板積層パネル１１をカッターや鋏などで切断して取り除けば、その設置スペースに対応した形状にすることが簡単にできる。よって、大工仕事を要せず誰でも設置スペースの状況に応じた形状のマットを簡単に製作することができるものである。
【００３７】
なお、例えば図１０に示す上記各パターンＥ〜Ｇ等のブロックパネル本体１０を選択的に選ぶことにより、例えば床材や壁材として使用する場合、好みに応じた模様の床材や壁材とすることができると共に、下地材１３により断熱効果も得ることができるものである。
【産業上の利用可能性】
【００３８】
本考案の斜行型単板積層パネルは、天井材、壁材、床材、ペットの敷物等などのほか、木製ドア、引き戸、建具材テーブルの天板、家具材の横板、等としても使用できる。
【符号の説明】
【００３９】
１  斜行型単板積層パネル本体
２  単板パネル
３  小幅板材
４  本実加工の雌加工
５  スリット溝
６  補強材
Ｓ  雇い実
Ｋ  目隠し釘
１０  ブロックパネル本体
１１  小斜行型単板積層パネル
１２  小単板パネル
１３  下地材
【手続補正２】
【補正対象書類名】実用新案登録請求の範囲
【補正対象項目名】全文
【補正方法】変更
【補正の内容】
【実用新案登録請求の範囲】
【請求項１】
複数の帯状の小幅板材の側面端同士をその接合部が平面視上斜め方向となるようにして接合して方形状の平板状の単板パネルを形成すると共に、互いに各単板パネルの小幅板材同士の接合部が交差するようして上下方向に３枚の単板パネル順次重ねて接着し四角形状に構成したことを特徴とする斜行型単板積層パネル。
【請求項２】
上記斜行型単板積層パネルにおいて、同斜行型単板積層パネルの単板パネルの中央に位置する小幅板材同士の接合部を、該斜行型単板積層パネルの対角線上に位置するように配置して上下に振り分け接続するように構成したことを特徴とする請求項１に記載の斜行型単板積層パネル。
【請求項３】
上記斜行型単板積層パネルにおいて、同斜行型単板積層パネルの裏面に、上下若しくは左右方向に凹溝を形成し、この凹溝に補強材を埋設したことを特徴とする請求項１又は請求項２に記載の斜行型単板積層パネル。
【請求項４】
上記斜行型単板積層パネルにおいて、同斜行型単板積層パネル４辺に本実加工用の雌実加工を施したことを特徴とする請求項１乃至請求項３のいずれかに記載の斜行型単板積層パネル。
【請求項５】
請求項１乃至請求項３のいずれかに記載の斜行型単板積層パネルをゴム材又はスポンジゴム材などの下地材上に複数個貼り合わせて、1枚の四角形状のブロック状のパネルを構成したことを特徴とするブロックパネル。